(57)【要約】【課題】簡易で安価な回路構成でありながら、物理的なスイッチを必要とせず、送信器と受信器のチャネル設定を容易に設定できる照明装置を提供する。【解決手段】ＬＥＤモジュール１４と特定の動作制御信号の入力に応じた駆動信号をＬＥＤモジュール１４に出力する照明回路部１０と、照明回路部１０に駆動電力を供給する壁スイッチ４０と、照明回路部１０に、特定指令情報、および特定の動作制御信号を送信させる少なくとも一つのリモコン送信器と、を備え、照明回路部１０は、壁スイッチ４０のオンからの所定時間内におけるリモコン送信器のうちの任意のリモコン送信器３０からの特定指令情報の入力によって、任意のリモコン送信機３０から送信される動作制御信号を特定の動作制御信号とする。【選択図】図２
2014139869.tif 000002
【特許請求の範囲】
【請求項１】
光源と、
特定の動作制御信号の入力に応じた駆動信号を前記光源に出力する照明回路部と、
前記照明回路部に駆動電力を供給する電源スイッチと、
前記照明回路部に、特定指令情報、および前記特定の動作制御信号を送信させる少なくとも一つのリモコン送信器と、を備え、
前記照明回路部は、
前記電源スイッチのオンからの所定時間内における前記リモコン送信器のうちの任意のリモコン送信器からの前記特定指令情報の入力によって、前記任意のリモコン送信器から送信される動作制御信号を前記特定の動作制御信号とすることを特徴とする照明装置。
【請求項２】
前記電源スイッチは、前記光源を点消灯させる壁スイッチまたはプルスイッチのいずれかで構成されることを特徴とする請求項１に記載の照明装置。
【請求項３】
前記特定指令情報に特定動作の設定を要求する特定動作設定要求情報が含まれ、
前記照明回路部は、前記任意のリモコン送信器から入力される前記特定動作を指示する駆動制御信号に対応する制御処理内容を前記特定動作設定要求情報に応じた内容に設定することを特徴とする請求項１、２のいずれかに記載の照明装置。
【請求項４】
前記特定動作設定要求情報は、調光調色パターンの設定要求情報であって、
前記照明回路部は、調光あるいは調色の少なくともいずれかのパターンに関する動作制御信号に対する制御処理内容を前記調光調色パターンの設定要求情報に応じた内容に設定することを特徴とする請求項３に記載の照明装置。
【請求項５】
前記特定動作設定要求情報は、オプション動作の設定要求情報であって、
前記照明回路部は、オプション動作に関する動作制御信号に対する前記制御処理内容を前記オプション動作の設定要求情報に応じた内容に設定することを特徴とする請求項３に記載の照明装置。
【請求項６】
前記特定指令情報に対する変更が行われたことを、前記照明回路部からの指令による所定の動作処理により知らせることを特徴とする請求項１ないし５のいずれかに記載の照明装置。
【請求項７】
前記特定指令情報は、前記リモコン送信器が備えるすくなくとも一つのリモコンボタンの特定の操作によって前記リモコン送信器から出力されることを特徴とする請求項１ないし６のいずれかに記載の照明装置。
【請求項８】
前記リモコンボタンは、特定指令情報用の専用ボタンあるいはそれ以外の汎用ボタンの少なくともいずれかであって、
前記特定指令情報の入力操作は、単独のリモコンボタンの長押し、単独のリモコンボタンの複数回の連続押し、複数のリモコンボタンの組み合わせ押しの少なくともいずれかの操作であることを特徴とする請求項７に記載の照明装置。
【発明の詳細な説明】
【技術分野】
【０００１】
本発明は照明装置に係り、特に、リモコン送信器によって照明を制御する照明装置に関する。
【背景技術】
【０００２】
家庭などで使われる照明器具において、たとえば、赤外線通信を利用したリモコン送信器によって照明の制御が行われている。
【０００３】
赤外線通信は、リモコン送信器から特定の周波数の赤外線（不可視光）を出力し、この出力によって照明部（受信側）と通信を行うようになっている。
【０００４】
赤外線通信の周波数は、製造メーカや通信スタイルによって異なり、これらは混信することは稀であるが、例えば、同じ製造メーカの同じ製品を複数購入した場合などは混信する場合が生じる。
【０００５】
それ故、照明部（受信側）とリモコン送信器には、それぞれ、チャネル切り替えの手段として物理的なスイッチが用意されている場合がある。該スイッチのチャネル切り替えによって、送信チャネルと受信チャネルが一致したときのみ、リモコン送信器による制御が可能となるようになっている。
【０００６】
このような構成では、照明部が天井などに取り付けられると、容易に照明部のスイッチを切り替えることはできず、また、チャネル切り替え作業に危険を伴ったり、物理的なスイッチの分だけ部品コストが余分にかかったり、スイッチには消耗による部品寿命があったりする等の問題が生ずる。
このような問題に鑑み、たとえば下記特許文献１に示すように、上述のような物理的スイッチを無くしたリモコン付き照明装置が開示されている。
【０００７】
特許文献１のリモコン付き照明装置は、リモコン送信器と照明器具本体に内蔵された受信器からなり、リモコン送信器と受信器とが共に送受信機能を有するようになっているものである。
【先行技術文献】
【特許文献】
【０００８】
【特許文献１】特開平７−１２２３６８公報
【発明の概要】
【発明が解決しようとする課題】
【０００９】
しかし、特許文献１に記載されたリモコン付き照明装置は、リモコン送信器とともに、照明器具本体に内蔵されている受信器にも送信機能が必要であり、そのため、回路構成並びに制御が複雑となり、その分、コストアップとなっていた。
【００１０】
本発明は、このような事情に鑑みてなされたものであり、その目的は、簡易で安価な回路構成でありながら、物理的なスイッチを必要とせず、送信器と受信器のチャネル設定を容易に設定できる照明装置を提供することにある。
【課題を解決するための手段】
【００１１】
本発明は、以下の構成によって把握される。
（１）本発明の照明装置は、光源と、特定の動作制御信号の入力に応じた駆動信号を前記光源に出力する照明回路部と、前記照明回路部に駆動電力を供給する電源スイッチと、前記照明回路部に、特定指令情報、および前記特定の動作制御信号を送信させる少なくとも一つのリモコン送信器と、を備え、前記照明回路部は、前記電源スイッチのオンからの所定時間内における前記リモコン送信器のうちの任意のリモコン送信器からの前記特定指令情報の入力によって、前記任意の送信器から送信される動作制御信号を前記特定の動作制御信号とすることを特徴とする。
（２）本発明の照明装置は、（１）の構成において、前記電源スイッチは、前記光源を点消灯させる壁スイッチあるいはプルスイッチのいずれかで構成されることを特徴とする。
（３）本発明の照明装置は、（１）、（２）のいずれかにおいて、前記特定指令情報に特定動作の設定を要求する特定動作設定要求情報が含まれ、前記照明回路部は、前記任意のリモコン送信器から入力される前記特定動作を指示する駆動制御信号に対応する制御処理内容を前記特定動作設定要求情報に応じた内容に設定することを特徴とする。
（４）本発明の照明装置は、（３）の構成において、前記特定動作設定要求情報は、調光調色パターンの設定要求情報であって、前記照明回路部は、調光あるいは調色の少なくともいずれかのパターンに関する動作制御信号に対する制御処理内容を前記調光調色パターンの設定要求情報に応じた内容に設定することを特徴とする。
（５）本発明の照明装置は、（３）の構成において、前記特定動作設定要求情報は、オプション動作の設定要求情報であって、前記照明回路部は、オプション動作に関する動作制御信号に対する前記制御処理内容を前記オプション動作の設定要求情報に応じた内容に設定することを特徴とする。
（６）本発明の照明装置は、（１）ないし（５）のいずれかにおいて、前記特定指令情報に対する変更が行われたことを、前記照明回路部からの指令による所定の動作処理により知らせることを特徴とする。
（７）本発明の照明装置は、（１）ないし（６）のいずれかにおいて、前記特定指令情報は、前記リモコン送信器が備えるすくなくとも一つのリモコンボタンの特定の操作によって前記リモコン送信器から出力されることを特徴とする。
（８）本発明の照明装置は、（７）において、前記リモコンボタンは、特定指令情報用の専用ボタンあるいはそれ以外の汎用ボタンの少なくともいずれかであって、前記特定指令情報の入力操作は、単独のリモコンボタンの長押し、単独のリモコンボタンの複数回の連続押し、複数のリモコンボタンの組み合わせ押しの少なくともいずれかの操作であることを特徴とする。
【発明の効果】
【００１２】
このように構成された照明装置によれば、簡易で安価な回路構成でありながら、物理的なスイッチを必要とせず、送信器と受信器のチャネル設定を容易に設定できるようになる。
【図面の簡単な説明】
【００１３】
【図１】本発明の照明装置の実施形態１の概略を示す外観図である。
【図２】図１に示す照明装置に具備される照明回路部の構成を示したブロック図である。
【図３】本発明の照明装置に具備されるリモコン送信器の外観を示す平面図である。
【図４】本発明の照明装置において特定指令情報を入力する際のリモコンボタンの操作例を示す図である。
【図５】本発明の照明装置の本体部のチャネル設定の際の動作を示すフローチャートである。
【図６】本発明の照明装置においてチャネル設定におけるタイマー割込み動作を示すフローチャートである。
【発明を実施するための形態】
【００１４】
以下、添付図面を参照して、本発明を実施するための形態（以下、実施形態）について詳細に説明する。なお、実施形態の説明の全体を通して同じ要素には同じ番号を付している。
（実施形態１）
図１は、本発明の照明装置の実施形態１の概略を示す外観図である。
【００１５】
図１において、実施形態１に示す照明装置１００は、本体部２０と、リモコン送信器３０、壁スイッチ（電源スイッチの一例）４０とを備える。
【００１６】
本体部２０は、たとえば天井面に取り付けられ、光源を含む照明回路部（図２にて符号１０で示す）と、この照明回路部１０を被う外装部（カバー）とから構成されている。
【００１７】
壁スイッチ４０は、たとえば電源スイッチからなり、該壁スイッチ４０のオンにより本体部２０に駆動電力が供給されるようになっている。
【００１８】
リモコン送信器３０は、ユーザーが手元で操作でき、その操作で本体部２０の照明回路部１０を駆動できるようになっている。
【００１９】
図２は、図１に示す照明装置１００に具備される照明回路部１０の構成を示したブロック図である。なお、図２には、電源Ｅ、壁スイッチ４０、リモコン送信器３０をも示している。
【００２０】
図２において、電源Ｅからの駆動電力は、壁スイッチ４０、壁スイッチ情報取得部１８を介して、ＬＥＤ駆動回路１３に供給されるようになっている。ＬＥＤ駆動回路１３は、その駆動信号によってＬＥＤモジュール（光源の一例）１４を点灯駆動させるようになっている。
【００２１】
また、リモコン送信器３０からの送信信号を受信するリモコン受信部１１を備え、このリモコン受信部１１は、動作制御部１２を介してＬＥＤ駆動回路１３を駆動するようになっている。動作制御部１２は、壁スイッチ情報取得部１８からの信号が入力されるとともに、ＣＨ情報記憶部（以下、チャネル情報記憶部と称する）１５にリモコン送信器３０の送信チャネルを受信チャネルとして記憶するようになっている。
【００２２】
なお、照明回路部１０には、ＬＥＤ駆動回路１３によって駆動する保安灯部１６、動作制御部１２によって制御される報知音発信部１７を備えている。
【００２３】
図３は、リモコン送信器３０の外観を示す平面図である。
【００２４】
図３に示すように、リモコン送信器３０は、駆動制御信号を出力する送信部３１、たとえば液晶ディスプレィからなる表示部３２、複数の操作ボタンからなる動作指令部３３とから構成されている。そして、動作指令部３３の複数の操作ボタンは、次に示すものからなっている。
【００２５】
すなわち、光源の調光制御に関する駆動制御信号を出力させるための指令を入力する調光制御ボタン群３５を有し、この調光制御ボタン群３５は、全光ボタン３５ａと、消灯ボタン３５ｂと、調光（増大）ボタン３５ｃと、調光（低減）ボタン３５ｄと、からなっている。
【００２６】
また、保安灯調光ボタン群３６を有し、この保安灯調光ボタン群３６は、保安灯調光増大ボタン、保安灯調光低減ボタンと、からなっている。
【００２７】
さらに、チャネル設定ボタン３７を有し、このチャネル設定ボタン３７は、リモコン送信器３０のチャネル設定用コード情報を出力するようになっている。
【００２８】
図２に示した照明回路部１０は、チャネル情報記憶部１５に予め設定されている特定のチャネルコードを有しており、この特定のチャネルコードを含む動作制御信号（以下、特定の動作制御信号と称する）がリモコン送信器３０から入力されたときにのみ、その動作制御信号の制御指令にしたがって、本体部２０の照明回路部１０の制御を行うようになっている。
【００２９】
ここで、壁スイッチ４０がオフからオンになったとき、オンから所定時間以内に、リモコン送信器３０から特定指令情報が入力されたときに、照明回路部１０は、特定の動作制御信号をリモコン送信器３０から出力される動作制御信号に設定するようになっている。換言すれば、照明回路部１０のチャネル情報記憶部１５が記憶するチャネルコードを特定指令情報に含まれるチャネルコードに置き換えることにより、本体部２０の受信チャネルをリモコン送信器３０の送信チャネルに設定するようになっている。
【００３０】
また、リモコン送信器３０からの特定指令情報に特定動作の設定を要求する情報（以下、特定動作設定要求情報と称する）が含まれる場合は、照明回路部１０は、上記のチャネル設定と併せて、リモコン送信器３０から入力されるこの特定動作を指示する駆動制御信号に対応する制御処理内容を特定動作設定要求情報に応じた内容に設定（変更）するようになっている。
【００３１】
ここで、特定動作設定要求情報とは、具体的には、調光調色パターンの設定要求情報、オプション動作の設定要求情報等であり、特定動作とは、調光調色制御パターン、オプション動作の設定／非設定などをいう。
【００３２】
調光調色制御パターンは、具体的には、動作制御信号に対応する調光あるいは調色の少なくともどちらかの変化パターンを定義付けるものであり、変化ステップの幅や、自動変化モード（例えば、プログラムで制御する目覚ましモード、おやすみモードなど）の変更などである。
【００３３】
また、オプション動作の設定／非設定とは、具体的には、報知音のオン／オフ、保護動作（過電圧保護、過電流保護など）のオン／オフ、消灯時の保安灯への移行のオン／オフなどをいう。
【００３４】
次に、特定指令情報に対するリモコンボタンの操作例について説明する。
【００３５】
特定指令情報は、具体的には、壁スイッチ４０がオンしてから所定時間以内（例えば、４秒以内）に、リモコン送信器３０が備えるリモコンボタン（動作指令部３３）の予め設定された操作（特定操作）を行うことによって、リモコン送信器３０の送信部３１から本体部２０の照明回路部１０に送信される。
【００３６】
なお、リモコンボタンの予め設定された操作の例として、たとえば図４に示すようなものが挙げられる。すなわち、
（１）特定指令情報がチャネル設定要求のみのときは、チャネル設定ボタン３７（専用ボタン）を押す。
（２）特定指令情報が特定動作設定要求情報として予め設定された調光要求パターン１を含む場合は、調光（増大）ボタン３５ｃを押す。
（３）特定指令情報が特定動作設定要求情報として予め設定された調光要求パターン２を含む場合は、調光（低減）ボタン３５ｄを押す。
（４）特定指令情報が特定動作設定要求情報として報知音の設定を含む場合は、全光ボタン３５ａ、消灯ボタン３５ｂの順に押す。
（５）特定指令情報が特定動作設定要求情報として報知音の非設定を含む場合は、消灯ボタン３５ｂ、全光ボタン３５ａの順に押す。
（６）特定指令情報が特定動作設定要求情報として予め規定された保護動作の設定を含む場合は、全光ボタン３５ａ、調光ボタン３５ｄの同時押しをする。
（７）特定指令情報が特定動作設定要求情報として消灯時の保安灯への移行設定を含む場合は、保安灯調光ボタン群３６の二つのボタン（保安灯調光増大ボタン、保安灯調光低減ボタン）を同時押しする。
【００３７】
図５は、照明装置１００の本体部２０のチャネル設定の際の動作を示すフローチャートである。
【００３８】
図５に示すように、ステップＳ１にて、壁スイッチ４０がオンしたことを検知する。次に、ステップＳ２にて、制限用時間フラグをクリア（リセット）する。そして、ステップＳ３にて、制限用時間フラグがセットされたか否かを判定する。制限用時間フラグがセットされている場合（YES）は処理を終了し、制限用時間フラグがセットされていない場合（NO）は、ステップＳ４に移行する。なお、ステップＳ３の判定は、後述する図６に示すステップＳ１４の状態を参照することによりなされる。ステップＳ４にて、リモコン送信器３０（図１参照）からの赤外線信号を受信したか否かを判定する。該赤外線信号を受信した場合(YES)は、ステップＳ５に移行し、受信していない場合(NO)は、ステップＳ３の処理に戻る。ステップＳ５にて、赤外線信号によって受信したデータコードが正常か否かを判定する。該データコードが正常の場合(YES)は、ステップＳ６に移行し、正常でない場合(NO)は、ステップＳ３の処理に戻る。ステップＳ６にて、受信したデータコードがチャネル設定用コードか否かを判定する。該データコードがチャネル設定用コードの場合(YES)は、ステップＳ７に移行し、チャネル設定用コードでない場合(NO)は、ステップＳ３の処理に戻る。ステップＳ７にて、チャネル設定用コードを本体部２０のチャネル情報記憶部１５（図２参照）に格納することにより、本体部２０のチャネル設定をし、処理を終了する。
【００３９】
図６は、チャネル設定におけるタイマー割込み動作を示すフローチャートである。
【００４０】
図６に示すように、ステップＳ１１にて、制限用時間フラグがセットされたか否かを判定する。制限用時間フラグがセットされている場合(YES)は処理を終了し、制限用時間フラグがセットされていない場合(NO)は、ステップＳ１２に移行する。ステップＳ１２にて、制限用時間のカウントを加算し、ステップＳ１３に移行する。ステップＳ１３にて、制限用時間の加算したカウント値が規定値に達したか否かを判定する。カウント値が規定値に達した場合（YES）には、ステップＳ１４に移行し、規定値に達していない場合（NO）には、処理を終了する。ステップＳ１４にて、制限用時間フラグをセットし、ステップＳ１５に移行する。ステップＳ１５にて、制限用時間のカウントをクリアし、処理を終了する。
【００４１】
なお、上述した動作において、本体部２０からのアンサーバック動作を行わせるようにしてもよいことはもちろんである。
【００４２】
すなわち、特定指令情報に基づく設定（変更）が本体部２０にて実際に行われたかどうかをユーザーに知らせるため、特定指令情報に対する変更が行われたことを照明回路部１０からの動作指令によって、所定の動作処理によるアンサーバックを行うようにしてもよい。
【００４３】
ここで、所定の動作処理とは、たとえば、主光源の点滅、報知音の発生、保安灯の点滅、補助光源の点滅、専用光源による表示液晶表示（主光源以外は、本体部２０が備えていることが前提）、あるいは、それらの組み合わせによって実現させることができる。
【００４４】
また、このようなアンサーバック動作は、特定指令情報の内容が異なっても同じ動作処理に設定し、あるいは、特定指令情報の内容に応じて別の動作処理に設定する等、適宜、設計するようにしてもよい。
【００４５】
上述した照明装置１００によれば、本体部２０およびリモコン送信器３０のそれぞれについて、特に追加の回路（ハード）を必要とせず、簡易で安価な回路構成でありながら、送信器と受信器のチャネルを容易に設定／変更できる。
【００４６】
また、本体部２０およびリモコン送信器３０のいずれにおいても、物理的なスイッチを必要とせず、部品コストおよび組立コスト等のコスト低減が図れる。
【００４７】
また、物理的なスイッチが無いため、特に、本体部２０で、人手によるチャネル切り替え作業を必要とせず、安全にかつ確実にチャネル切り替えができる。
【００４８】
また、物理的なスイッチが無いため、スイッチ部品の寿命を長くでき、スイッチとしての信頼性を向上できる。
【００４９】
また、特定指令情報にチャネル設定以外の特定動作設定要求情報を含むようにすることにより、チャネル設定と併せて、種々の特定動作の設定／変更を行うことができる。
【００５０】
また、電源スイッチをオンしてから所定時間以内という限定された時間内でチャネル設定などを行うため、通常のリモコン操作で受信チャネルあるいは特定動作が変更されてしまうというような不具合が生じないという効果を奏する。
【００５１】
さらに、本体部２０において、特定指令情報を受信し、チャネル設定あるいは特定動作設定が行われたときに、本体部２０よりアンサーバック動作（応答動作）を行うようにすることにより、本体部２０に特に送信機能（無線通信によるアンサーバック機能）を持たせることなく、ユーザーは、各種設定が本体部２０で実際に行われたかどうかを容易に知ることができるようになる。
【００５２】
（実施形態２）
上述した実施形態では、光源をＬＥＤとしたものであるが、これに限定されることはなく、たとえば、ＥＬ素子、蛍光灯などであってもよい。
【００５３】
（実施形態３）
上述した実施形態では、電源スイッチを壁スイッチ４０としたものであるが、他のスイッチであってもよいことはもちろんである。たとえば、本体部２０に直接設けられるプルスイッチ（紐スイッチ）、壁以外の物体（例えば、屋内照明ではベッドなどの家具、屋外照明では柱、ポールなど）に取り付けられたスイッチなど、照明の電源をオフできるスイッチであればどのような構成、形態のものであってもよい。
【００５４】
（実施形態４）
電源スイッチがオンしてからの所定時間（制限時間）は実施形態１に示した４秒以内に限定されず、所望の時間に設定できることはもちろんである。
【００５５】
（実施形態５）
上述した実施形態では、送信器をリモコン送信器としたものであるが、これに限定されることはなく、たとえば、時計やラジオなどが兼用されたタイプの送信器であってもよい。
【００５６】
（実施形態６）
上述した実施形態では、送信器に備えられるボタンは、図３に示すような種類としたものであるが、これに限定されることはなく、他に種々の機能を有するボタンを付加して構成するようにしてもよい。
【００５７】
（実施形態７）
上述した実施形態では、特定指令情報に対するリモコンボタンの操作は、図４に示したものに限定されることはないことはもちろんである。たとえば、リモコンボタンは特定指令情報用の専用ボタンであっても、汎用ボタンであっても、あるいは、それらの組み合わせであってもよい。また、リモコンボタンの特定操作は、単独のリモコンボタンの長押し、単独のリモコンボタンの複数回の連続押し、複数のリモコンボタンの組み合わせ押し、あるいは、それらの組み合わせなど、さまざまな操作を適用させることができる。
【００５８】
（実施形態８）
なお、本体部２０が備える補助装置は、本発明の必須の構成ではなく、補助光源、保安灯、報知音用ブザー、液晶用表示部などは、必要に応じて備えるようにしてもよい。
【００５９】
（実施形態９）
また、照明回路部１０は、少なくともその一部をＩＣ（集積回路）として集積化してもよい。また、少なくともその一部は、ソフトウェアで構成してもよい。
【００６０】
（実施形態１０）
さらに、特定動作設定要求情報、アンサーバックのための所定の動作は、それぞれ、上記実施態様に限定されず、また、通信方式は赤外線通信に限定されることはない。
【００６１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００６２】
１０……照明回路部、１１……リモコン受信部、１２……動作制御部、１３……ＬＥＤ駆動回路、１４……ＬＥＤモジュール（光源の一例）、１５……ＣＨ情報記憶部（チャネル情報記憶部）、１６……保安灯部、１７……報知音発信部、１８……壁スイッチ情報取得部、２０……本体部、３０……リモコン送信器、３１……送信部、３２……表示部、３３……動作指令部、３５……調光制御ボタン群、３５ａ……全光ボタン、３５ｂ……消灯ボタン、３５ｃ……調光（増大）ボタン、３５ｄ……調光（低減）ボタン、３６……保安灯調光ボタン群、３７……チャネル設定ボタン、４０……壁スイッチ（電源スイッチの一例）、１００……照明装置。
【図１】
2014139869.tif 000003
【図２】
2014139869.tif 000004
【図３】
2014139869.tif 000005
【図４】
2014139869.tif 000006
【図５】
2014139869.tif 000007
【図６】
2014139869.tif 000008